(57)【要約】【課題】安価かつクラッチ機構の異音発生を抑制可能な洗濯機を提供する。【解決手段】  外槽と、前記外槽内に回転自在に設置される洗濯兼脱水槽と、前記洗濯兼脱水槽内の底部に回転自在に配置される撹拌翼と、前記撹拌翼と前記洗濯兼脱水槽を回転駆動する動力源としてのモータと、前記モータの駆動力を減速して前記撹拌翼に伝達し、噛み合い歯が斜め方向に並んで配置された減速歯車機構と、前記減速歯車機構と連結された入力回転軸と、前記入力回転軸よりも上方に設けられると供に、前記減速歯車機構に連結され、前記撹拌翼を回転する際に伝達される撹拌回転軸と、前記モータの駆動力を前記減速歯車機構を介して前記撹拌翼のみに伝達する第１の動力伝達系とそのまま前記洗濯兼脱水槽と前記撹拌翼に伝達する第２の動力伝達系を選択的に形成する切り替えクラッチ機構と、を備え、前記入力回転軸に、ころがり軸受及びすべり軸受で支持される。【選択図】図２
2019042333.tif 000002
【特許請求の範囲】
【請求項１】
外槽と、前記外槽内に回転自在に設置される洗濯兼脱水槽と、前記洗濯兼脱水槽内の底部に回転自在に配置される撹拌翼と、前記撹拌翼と前記洗濯兼脱水槽を回転駆動する動力源としてのモータと、前記モータの駆動力を減速して前記撹拌翼に伝達し、噛み合い歯が斜め方向に並んで配置された減速歯車機構と、前記減速歯車機構と連結された入力回転軸と、前記入力回転軸よりも上方に設けられると供に、前記減速歯車機構に連結され、前記撹拌翼を回転する際に伝達される撹拌回転軸と、前記モータの駆動力を前記減速歯車機構を介して前記撹拌翼のみに伝達する第１の動力伝達系とそのまま前記洗濯兼脱水槽と前記撹拌翼に伝達する第２の動力伝達系を選択的に形成する切り替えクラッチ機構と、を備え、
前記入力回転軸に、ころがり軸受及びすべり軸受で支持される、ことを特徴とする洗濯機。
【請求項２】
請求項１に記載の洗濯機であって、
前記入力回転軸の上方に前記ころがり軸受を設けて、前記入力回転軸の下方に前記すべり軸受を設けたことを特徴とする洗濯機。
【発明の詳細な説明】
【技術分野】
【０００１】
本発明は洗濯機に関するものである。
【背景技術】
【０００２】
特開２００６−３４６３２４号公報（特許文献１）にはタテ型洗濯機のクラッチ及び減速機構が記載されている。
【先行技術文献】
【特許文献】
【０００３】
【特許文献１】特開２００６−３４６３２４号公報
【発明の概要】
【発明が解決しようとする課題】
【０００４】
特許文献１記載の従来技術では、外側入力軸部３５ｄの上側、下側にそれぞれボールベアリング４０ａ、４０ｂが設けられている。しかし、ボールベアリングは比較的高価であり、クラッチ機構がコストが高くなってしまうという問題がある。
【０００５】
一方、比較的安価なすべり軸受を設ける構成があるが、クラッチ及び減速機構の部品構成によっては、スラスト方向の動きが発生し、軸受と他部品の接触による騒音が発生する虞がある。
【０００６】
そこで、本発明の目的は、安価かつクラッチ及び減速機構の異音発生を抑制可能な洗濯機を提供することにある。
【課題を解決するための手段】
【０００７】
上記の目的を解決するために、本発明は、外槽と、前記外槽内に回転自在に設置される洗濯兼脱水槽と、前記洗濯兼脱水槽内の底部に回転自在に配置される撹拌翼と、前記撹拌翼と前記洗濯兼脱水槽を回転駆動する動力源としてのモータと、前記モータの駆動力を減速して前記撹拌翼に伝達し、噛み合い歯が斜め方向に並んで配置された減速歯車機構と、前記減速歯車機構と連結された入力回転軸と、前記入力回転軸よりも上方に設けられると供に、前記減速歯車機構に連結され、前記撹拌翼を回転する際に伝達される撹拌回転軸と、前記モータの駆動力を前記減速歯車機構を介して前記撹拌翼のみに伝達する第１の動力伝達系とそのまま前記洗濯兼脱水槽と前記撹拌翼に伝達する第２の動力伝達系を選択的に形成する切り替えクラッチ機構と、を備え、前記入力回転軸に、ころがり軸受及びすべり軸受で支持されることを特徴とする。
【発明の効果】
【０００８】
本発明によれば、安価かつクラッチ及び減速機構の異音発生を抑制可能な洗濯機を提供できる。
【図面の簡単な説明】
【０００９】
【図１】本発明による縦型洗濯機の一例である。
【図２】クラッチ機構の断面図である。
【図３】減速機構の内部構成を示した図である。
【発明を実施するための形態】
【００１０】
以下、本発明の実施の形態について、図１〜図３を参照して説明する。
【００１１】
図１には縦型洗濯機５０の一例を示し、外枠５１、外枠５１を下から支持する外枠ベース５２、外枠５１の上に設けられたトップカバー５３、トップカバー５３の開閉自在に係る蓋体５４を有する。外槽５５は外枠５１の上側内部に設けたコーナ支持部５８より垂下する吊棒５７に防振ばね８０を介して防振支持される。
【００１２】
洗濯槽５９は外槽５５内に回転自在に置かれる。洗濯脱水用の回転電機は永久磁石回転電機１であり、外槽５５の底側下面に確実に固定されている。永久磁石回転電機１の軸端には駆動プ−リ６７が締結される。
【００１３】
撹拌翼６１は洗濯槽５９内に回転自在に設置され、ギヤケース６４は外槽５５の外側下面で撹拌翼６１の真下に固定される。ギヤケース６４の下部に設けたクラッチ６３は従動プーリ６５を有する。従動プーリ６５と駆動プ−リ６７に掛け渡したベルト６２を介して回転電機１の回転はクラッチ６３に伝わり、永久磁石回転電機１の回転はギヤケース６４のギヤ６６に伝えられる。
【００１４】
ギヤケース６４の内側出力軸には撹拌翼６１が締結され、外側出力軸には洗濯槽５９が締結されている。
【００１５】
永久磁石回転電機１の駆動回転はクラッチ（回転伝達切り替え手段）６３で切り替えられる。クラッチ（回転伝達切り替え手段）６３の切り替えで永久磁石回転電機１の回転が撹拌翼６１に伝達されたり、洗濯槽５９に伝達されたりする。
【００１６】
撹拌翼６１の撹拌回転で洗濯槽５９内の洗濯物が洗濯される。洗濯槽５９の高速回転で洗濯槽５９内の洗濯物は遠心脱水が行われる。
【００１７】
洗濯物の脱水では回転電機１が高速で回転し、洗濯槽５９の胴体に設けた脱水孔６８から遠心脱水が行われる。洗濯槽５９は上部にバランサ６０を備えているので、遠心脱水時、洗濯物の片寄りによるアンバランス発生時の異常振動が緩和される。
【００１８】
蓋体５４は洗濯槽５９の上部に設けた開口部を開閉し、洗濯物を出し入れする。
【００１９】
コントロール基板６９はトップカバー５３に設けられ、コントロール基板６９の表面には操作パネル７０があり、洗濯機５０の運転操作が行える。
【００２０】
水位センサ−７１はトップカバー５３の裏側に配置される。圧力チューブ７２を介して水位センサ−７１はエアトラップ７３の空気室に通じている。外槽５５内に貯留する洗濯水の水位は水圧の変化により水位センサ−７１により検知され、その水位情報はコントロール基板６９に提供され、給水がコントロールされる。
【００２１】
注水ケース７４は給水電磁弁７５を介して給水ホース７６に接続される。給水ホース
７６は水道水供給の蛇口に接続される。水道水は給水電磁弁７５の開放によって注水ケース７４を通じて外槽５５に注がれる。
【００２２】
外槽カバー７７は外槽５５の上部に設けられる。注水ケース７４から流出する水道水が洗濯槽５９の外側にはずしても外側カバー７７にガイドされ機外に流出して床面を濡らさないような構成となっており、全ての供給された水は洗濯槽５９に注がれる。
【００２３】
排水電磁弁７８は排水ホース７９を介して外槽５５の底部に設けた排水口に連通させる。洗濯やすすぎで使った水は排水電磁弁７８の開放で排水ホース７９を通じて機外へ排出される。
【００２４】
上述した縦型洗濯機５０の駆動源である永久磁石回転電機１は、外周側に電源コネクタボックス２８と中性点コネクタボックス２９を有する。また、端部には冷却ファン２７を有する。
【００２５】
図２は、ギヤ６６の断面図である。入力回転軸４５は減速機構４２と連結されており、減速機構４２で減速された永久磁石回転電機１の回転は、減速機構４２に連結された、撹拌翼６１を回転する撹拌回転軸４６伝達される。永久磁石回転電機１の回転は、上述のクラッチ（回転伝達切り替え手段）６３によって内槽回転軸４７に伝達される。内槽回転軸４７には図示していないが、洗濯槽５９が固定されている。
【００２６】
図３は、減速機構４２の内部構成を示した図である。入力回転軸４５の回転時に噛み合い歯９０と入力回転軸４５の噛み合い歯は噛み合う。噛み合い歯９０ではなく斜め方向に並んで配置されている。入力回転軸４５の噛み合い歯も噛み合い歯９０の形状に合わせて斜め方向に並んで配置されている。
【００２７】
このように噛み合い歯が斜め方向に配置されているため、クラッチ（回転伝達切り替え手段）６３の切り替えの際に、入力回転軸４５と噛み合い歯９０とが上下方向（スラスト方向）に相対的に位置ずれが発生しやすくなる。なお、噛み合い歯が斜め方向に配置されることにより、噛み合い歯同士が軸回転によっても常に接触することになり、歯同士の噛み合い音による異音発生が抑制可能となる。
【００２８】
ここで、メタルなどのすべり軸受を用いた場合、すべり軸受と入力回転軸４５との間に隙間が発生してしまうため、上述のクラッチ（回転伝達切り替え手段）６３の切り替えの際の入力回転軸４５と噛み合い歯９０との相対的位置ずれの影響により、すべり軸受と入力回転軸４５が上下方向（スラスト方向）に相対的に位置ずれしてしまい、部品間の接触による騒音が発生する虞がある。
【００２９】
そこで、入力回転軸４５を支持するために、ボールベアリングなどのころがり軸受９１を設ける。ボールベアリングは、入力回転軸４５において、スラスト方向の荷重を受けることで動きを抑制支持できるために、外側入力回転軸４５ａ内に外輪圧入状態に取り付ける。そのため、ボールベアリングなどのころがり軸受９１を設けると、軸受と入力回転軸４５が上下方向（スラスト方向）に相対的に位置ずれは起きず、上記のすべり軸受を用いた場合の部品間の接触による異音発生を抑制することが出来る。
【００３０】
一方、ボールベアリングは高価であり、入力回転軸４５の上側、下側の両方ともにボールベアリングなどのころがり軸受を設けるのは、コスト増となり好ましくない。
【００３１】
そのため、入力回転軸４５の上方側、下方側のいずれか一方にボールベアリングなどのころがり軸受９１を設けて、もう一方には、比較的安価なメタルなどのすべり軸受９２を設ける。ここでメタルは焼結金属である。
【００３２】
このようにして、安価かつクラッチ及び減衰機構の異音発生を抑制可能となる。
【００３３】
また、図１に示すように洗濯槽５９等をベルト駆動式で回転させる場合、入力回転軸４５の下方側に水平方向の荷重がより加わり易くなる。そのため、入力回転軸４５の下方側に、上下方向に長さを出しやすいメタルなどのすべり軸受９２を設けて、上方側にボールベアリングなどのころがり軸受９１を設ける構成が望ましい。これにより、効果的に上記の下方側の水平方向の荷重を受けることが出来る。
【００３４】
なお、モータ直結駆動型であっても入力回転軸４５の下方側に水平方向の荷重がより加わり易くなるため、同様に入力回転軸４５の下方側にメタルなどのすべり軸受９２を設けて、上方側（従動プーリ６５の反対側）にボールベアリングなどのころがり軸受９１を設ける構成が望ましい。
【００３５】
また、従動プーリ６５と軸受との距離によっては、従動プーリ６５側に設けたほうがいい場合もある。
【符号の説明】
【００３６】
59…洗濯槽、60…バランサ、61…撹拌翼、62…ベルト、63…クラッチ、64…ギヤケース、65…従動プーリ、66…ギヤ、67…駆動プーリ、68…脱水孔、69…コントロール基板、70…操作パネル、71…水位センサ、72…圧力チューブ、73…エアトラップ、74…注水ケース、75…給水電磁弁、76…給水ホース、77…外槽カバー、78…排水電磁弁、79…排水ホース、80…防振ばね
【図１】
2019042333.tif 000003
【図２】
2019042333.tif 000004
【図３】
2019042333.tif 000005